(57)【要約】【課題】所望の施設に対応する電話番号の発信を能率的に行うことができると共に、手動入力ミスの発生する可能性を低くでき、これに伴って電子電話帳へのデータ格納を確実に行うことができる情報端末機を提供する。【解決手段】携帯電話機１のパネル面の最上位に音声通話用のスピーカ２の開口が穿設されその下位に大面積の表示器３が設けられ、その下部に数字入力をしたりかな入力を行うためのテンキー５が設けられる。シフトキー６と複合キー部８とシフトキー７が配設され、複合キー部８の下位には第１〜第４機能キー９〜１２が配設される。表示された電話番号宛てに通話手段を用いて発信するときに、電話番号の有する市外局番の入力を、第１〜第４機能キー９〜１２のいずれかの押操作によって行なう入力制御手段が構成される。発信された電話番号を編集した後に格納する電子電話帳手段を有する。【選択図】　　　　図１
2004140588.tif 000002
【特許請求の範囲】
【請求項１】
取得した地図情報に基づく地図表示を行う地図表示手段と、
現在位置情報を取得する位置検出手段と、
前記地図表示手段で表示される地図画面中に少なくとも１つの施設表示を行う施設表示手段と、
前記位置検出手段で得られた現在位置を表示する現在位置表示手段と、
前記施設表示手段によって表示される施設表示に該当する電話番号表示を行う電話番号表示手段と、
手動入力した電話番号に発信して通話する通話手段と、
前記電話番号表示手段によって表示された電話番号宛てに前記通話手段を用いて発信するときに、該電話番号の有する市外局番の入力を少なくとも１つの操作キーの押操作によって行なう入力制御手段と、
前記入力制御手段を用いて発信された電話番号を格納する電子電話帳手段とを具備することを特徴とする情報端末機。
【請求項２】
前記地図表示手段は、地図情報が格納された記録媒体を再生して取得された地図情報に基づく地図表示を行うように構成することを特徴とする請求項１に記載の情報端末機。
【請求項３】
前記地図表示手段は、地図情報が格納された外部データベースから通信手段を介して取得した地図情報に基づく地図表示を行うように構成することを特徴とする請求項１に記載の情報端末機。
【請求項４】
前記施設表示手段は、前記地図表示手段で表示される地図画面中に市外局番のエリア表示を含ませて少なくとも１つの施設表示を行うように構成することを特徴とする請求項１に記載の情報端末機。
【請求項５】
前記電話番号表示手段は、前記地図表示手段によって行われる地図表示中に施設表示に該当する電話番号表示を行うように構成することを特徴とする請求項１に記載の情報端末機。
【請求項６】
前記電話番号表示手段は、前記地図表示手段によって行われる地図表示とは別画面で前記施設表示に該当する電話番号一覧表示を行うように構成することを特徴とする請求項１に記載の情報端末機。
【請求項７】
前記入力制御手段は、前記電話番号表示手段によって表示された電話番号宛てに前記通話手段を用いて発信するときに、該電話番号の有する市外局番の入力を前記電話番号一覧表示から選択された番号に対して、少なくとも１つの操作キーの押操作によって行なうように構成することを特徴とする請求項６に記載の情報端末機。
【発明の詳細な説明】
【０００１】
【発明の属する技術分野】
本発明は、地図情報の表示機能と現在位置情報の取得機能と通話機能と電子電話帳機能を有する情報端末機に関する。
【０００２】
【従来の技術】
一般に、道路地図等に施設を重ねて地図情報の表示する機能と、位置衛星からの電波を受信して現在情報を取得する機能と、通常の通話機能と、電子電話帳機能を有する情報端末機は、携帯電話機やＰＤＡ機器等々として広く普及している。
【０００３】
かかる情報端末機は、携帯電話機の場合を例にすれば、該当のエリアの有する市外局番をキーワードとして入力することによってディスプレイに地図を選択して表示されることができ、表示された地図中に位置する特定施設の有する電話番号を選択キーの押操作によって表示させることができる。
【０００４】
このようにして表示された電話番号、例えば施設がホテルであった場合に、宿泊の予約をするための電話番号に対する発信を行うときには、表示された電話番号を見ながら市外局番、市内局番、市内番号の順にテンキーで数字を手動入力することによって目的施設と通話を行うことができる。
【０００５】
また、携帯電話機の有する電子電話帳へのデータ格納は、当該通話に基づくリダイアルデータを編集することによって電話番号の数字の再入力を行うことなく行うことができる（例えば特許文献１参照）
【０００６】
【特許文献１】
特開平５−３１３５８０号公報（第４〜６頁、図１〜５）
【０００７】
【発明が解決しようとする課題】
従来の情報端末機は、市外局番を入力することによって該当する地図表示が行なわれるので、地図表示を見ながら所望の施設に対応する電話番号を表示させ、その表示された番号に発信する場合には、表示された電話番号の全桁、即ち、市外局番と市内局番と市内番号で構成される全桁をテンキーを用いて手動入力しなければならず、使い勝手に劣るものであった。
【０００８】
また、当該の全桁は通常は１０桁で構成されるので特定数字を重複入力したり欠落させてしまうという手動入力ミスの発生する可能性が高くその改善が要望されている。
【０００９】
そこで、本発明の目的は、所望の施設に対応する電話番号の発信を能率的に行うことができると共に、手動入力ミスの発生する可能性を低くでき、これに伴って電子電話帳へのデータ格納を確実に行うことができる情報端末機を提供することにある。
【００１０】
【課題を解決するための手段】
前記課題を解決するために、本発明による情報端末機は、次に記載するような特徴的な構成を採用している。
【００１１】
（１）取得した地図情報に基づく地図表示を行う地図表示手段と、
現在位置情報を取得する位置検出手段と、
前記地図表示手段で表示される地図画面中に少なくとも１つの施設表示を行う施設表示手段と、
前記位置検出手段で得られた現在位置を表示する現在位置表示手段と、
前記施設表示手段によって表示される施設表示に該当する電話番号表示を行う電話番号表示手段と、
手動入力した電話番号に発信して通話する通話手段と、
前記電話番号表示手段によって表示された電話番号宛てに前記通話手段を用いて発信するときに、該電話番号の有する市外局番の入力を少なくとも１つの操作キーの押操作によって行なう入力制御手段と、
前記入力制御手段を用いて発信された電話番号を格納する電子電話帳手段とを具備する情報端末機。
【００１２】
（２）前記地図表示手段は、地図情報が格納された記録媒体を再生して取得された地図情報に基づく地図表示を行うように構成する上記（１）の情報端末機。
【００１３】
（３）前記地図表示手段は、地図情報が格納された外部データベースから通信手段を介して取得した地図情報に基づく地図表示を行うように構成する上記（１）の情報端末機。
【００１４】
（４）前記施設表示手段は、前記地図表示手段で表示される地図画面中に市外局番のエリア表示を含ませて少なくとも１つの施設表示を行うように構成する上記（１）の情報端末機。
【００１５】
（５）前記電話番号表示手段は、前記地図表示手段によって行われる地図表示中に施設表示に該当する電話番号表示を行うように構成する上記（１）の情報端末機。
【００１６】
（６）前記電話番号表示手段は、前記地図表示手段によって行われる地図表示とは別画面で前記施設表示に該当する電話番号一覧表示を行うように構成する上記（１）の情報端末機。
【００１７】
（７）前記入力制御手段は、前記電話番号表示手段によって表示された電話番号宛てに前記通話手段を用いて発信するときに、該電話番号の有する市外局番の入力を前記電話番号一覧表示から選択された番号に対して、少なくとも１つの操作キーの押操作によって行なうように構成する上記（６）の情報端末機。
【００１８】
【発明の実施の形態】
以下、本発明の一実施の形態について図面を用いて詳細に説明する。本実施の形態は、本発明を携帯電話機に適用した例であり、その概略構成を示す図１の携帯電話機１は、地図表示手段、位置検出手段、施設表示手段、現在位置表示手段、電話番号表示手段、通話手段入力制御手段、及び電子電話帳手段を有して構成される。これらの手段の詳細を説明する前に、携帯電話機１の構造について説明する。
【００１９】
携帯電話機１の外観は薄型の長方形を呈し、そのパネル面の最上位に音声通話用のスピーカ２の開口が穿設されその下位に大面積の表示器３が設けられ、その下部に数字入力をしたり、かな入力を行うためのテンキー５が設けられている。
【００２０】
表示器３とテンキー５の間には、シフトキー６と複合キー部８とシフトキー７が配設され、その複合キー部８は、中央部に位置する選択キー８ａとその上下のそれぞれに位置するシフトキー８ｂ、８ｃが位置されている。これらの複合キー部８の下位には第１機能キー９、第２機能キー１０、第３機能キー１１、第４機能キー１２が配設され、これらのキーは特定の機能をモード切替え時に選択的に有するように制御され、表示器３に表示される画面はその下部が細帯状のメニュー画面４の表示領域とされ、その表示内容が動作モードに対応して変化されて表示される。
【００２１】
即ち、メニュー画面４の表示内容は、図２に示す選択表示４ａ、４ｂ、４ｃのように変化される（その動作は後述）。
【００２２】
図１に示す表示器３の表示内容は地図モードに設定された例を示し、画面内の道路に隣接する多数の施設（符号ａ〜ｊで示す）が重畳して表示され、地図情報が格納された記録媒体、例えばＣＤ−ＲＯＭや半導体メモリ等を再生読み出し、またはインタネット回線等に通信手段を介して外部データベースから取得した地図情報に基づく地図表示を行う地図表示手段が構成される。
【００２３】
また、携帯電話機１の現在位置情報を取得する位置検出手段が図示せずも具備され、さらに、表示器３で表示される地図画面中に少なくとも１つの施設表示を行う（本実施の形態では符号ａ〜ｊの１０個）施設表示手段が具備される。
【００２４】
さらに、位置検出手段で得られた現在位置を表示器３の地図表示画面中に表示する現在位置表示手段と、施設表示手段によって表示される施設表示に該当する電話番号表示を、例えば後述の図５に示す一覧表示１３のように行い、その制御を第１機能キー９乃至第４機能キー１２の押操作によって行う電話番号表示手段が構成される。携帯電話機１には、その基本機能である手動入力した電話番号に発信して通話する通話手段が構成されている。
【００２５】
本発明の要部である入力制御手段、即ち電話番号表示手段によって表示された電話番号宛てに通話手段を用いて発信するときに、該電話番号の有する市外局番の入力を少なくとも１つの操作キーの押操作（例えば第１機能キー９乃至第４機能キー１２のいずれかの押操作）によって行なう入力制御手段が構成されると共に、当該の入力制御手段を用いて発信された電話番号を格納する電子電話帳手段を備える。
【００２６】
表示器３に表示される地図表示は、市外局番のエリアに対応する範囲表示を行うこともでき、例えば図３に示すように施設ａ乃至施設ｄが市外局番の０３エリアで、施設ｅ乃至施設ｉが市外局番の０４５エリアで、施設ｊが市外局番の０４４エリアであることを色分け表示等で表示することができる。
【００２７】
なお、第１機能キー９乃至第４機能キー１２のそれぞれの機能指令は、第１機能キー９の押操作で電話番号の一覧表示が指令され、第２機能キー１０の押操作で確認が行われ、第３機能キー１１の押操作で次選択が指令され、第４機能キー１２の押操作によって発信開始の指令がされるように構成されている。
【００２８】
従って、携帯電話機１の表示器３に表示される地図表示の下部に位置するメニュー画面４に図２に示すように選択表示４ａが表示されメニュー、登録地、電話番号から選択表示４ｂのように変化させ第３機能キーを押操作することによって選択された特定施設の電話番号が、市外局番が０３で市内局番が１１１１で市内番号がＸＸＸ３であると表示される。
【００２９】
選択された特定施設に対して通話を行う場合には、図４に示すフローチャートのステップＳ１のように表示された０３−１１１１−ＸＸ３３という電話番号に発信するために第４機能キーの押操作を行って発信開始状態にすると、次のステップＳ２において、当該電話番号に対応する施設名の確認表示、即ち図２の選択表示４ｃがなされ、ＯＫである場合に第２機能キー１０を押操作するとステップＳ３に進んでステップＳ１の表示電話番号の内の市外局番の０３のみが自動的に入力され、言い換えればテンキー５を手動で押操作することなく入力されて次のステップＳ４に進む。
【００３０】
ステップＳ４は、既に自動入力された市外局番の次に位置する市内局番の１１１１と市内番号のＸＸ３３を表示してその入力を促し、全ての数字をテンキー５を用いて入力したときに相手先との通話を行うことができる。
【００３１】
一方、ステップＳ２によってＮＧ、即ち、施設名が希望するものでなかった場合には、ステップＳ５に進み、第１機能キー９の操作状態にされて例えば図５に示す一覧表示１３のように表示器３内の地図表示に含まれる全ての施設が施設名欄１４に表示され、これと同時に各施設に対応する電話番号が電話番号欄１５に表示される。
【００３２】
一覧表示１３には、複数の施設ａ〜ｊがいずれの市外局番にあるかの表示、
即ち、０３、０４５、０４４のいずれのエリアであるかの表示も同時に重ね合わせた状態でなされる。
【００３３】
よって、一覧表示１３を見ながら希望する施設名を第３機能キー１１の押操作によって選択するとステップＳ６のように選択された施設名が表示され、この表示内容でＯＫかＮＧかの判定が前述のステップＳ２によって行われ、以下の動作は、前述と同様にして行われ所望の通話を行うことができる。
【００３４】
なお、図４中に破線で示すステップＳ０は、必要に応じて設ければよいステップであり、市外局番をテンキー５で指定したときに該当する施設名を表示させるようにしたステップであり、その時に表示された施設名の確認動作がステップＳ２によって行われ以降の動作が前述と同様にして行われ市外局番から分岐して選択された所望施設に対する通話を行うことができる。
【００３５】
通話が完了した後に、特定キー、例えば第３機能キー１１を押操作するとリダイアルリストの呼び出しが行われリダイアルリストが一覧表示されるので、該当する電話番号を選択し、その番号を電子電話帳に記録させることができる。この場合、該当の電話番号に名前を付したり、個人情報等の付加情報を編集動作を行うことによって付加することができる。
【００３６】
【発明の効果】
以上の説明で明らかなように、本発明による情報端末機は、通話を希望する施設の電話番号の内、市外局番が自動入力されるので市内局番と市内番号のみを手動で入力すればよいので使い勝手の良好な情報端末機が得られる。
【００３７】
また、手動入力する番号の桁数を少なくできるので、特定数字を重複入力したり欠落させてしまうという手動入力ミスの発生する可能性が非常に低くすることができる。
【００３８】
よって、本発明によれば、所望の施設に対応する電話番号の発信を能率的に行うことができると共に、手動入力ミスの発生する可能性を低くでき、これに伴って電子電話帳へのデータ格納を確実に行うことができる情報端末機を提供することができる。
【図面の簡単な説明】
【図１】本発明の一実施の形態による携帯電話機の概略構成図である。
【図２】図１中のメニュー画面への表示例を示す図である。
【図３】図１中の地図表示画面の表示例を示す図である。
【図４】本発明の一実施の形態による携帯電話機の要部動作を説明するためのフローチャートである。
【図５】本発明の一実施の形態による携帯電話機の施設名の一覧表示状態の一例を示す図である。
【符号の説明】
１　　　携帯電話機
２　　　スピーカ
３　　　表示器
４　　　メニュー画面
４ａ、４ｂ、４ｃ　選択表示
５　　　テンキー
６、７　シフトキー
８　　　複合キー部
８ａ　　選択キー
８ｂ、８ｃ　シフトキー
９　　　第１機能キー
１０　　　第２機能キー
１１　　　第３機能キー
１２　　　第４機能キー
１３　　　一覧表示
１４　　　施設名欄
１５　　　電話番号欄
ａ〜ｊ　　施設
【図１】
2004140588.tif 000003
【図２】
2004140588.tif 000004
【図３】
2004140588.tif 000005
【図４】
2004140588.tif 000006
【図５】
2004140588.tif 000007